(57)【要約】【課題】記録媒体に記録している番組の分類毎に、スキップ時間を設定することにより、ユーザが視聴したい再生位置を探すためにスキップ操作を行う回数を抑制し、操作を簡単にした再生装置を提供する【解決手段】記憶部３に分類毎にスキップ操作でスキップするスキップ時間を設定した設定テーブルを記憶している。この設定テーブルに設定されている分類の番組を記録・再生部５で記録媒体から再生するときに、設定テーブルを参照する。再生する番組の分類で設定されているスキップ時間を、スキップ操作でスキップするスキップ時間に設定する。【選択図】図３
2009105584.tif 000002
【特許請求の範囲】
【請求項１】
記録媒体に記録されている番組を再生する再生手段を備えた再生装置において、
スキップ指示が入力された時、前記再生手段が再生している番組の再生位置をスキップ時間だけスキップさせるスキップ手段と、
前記記録媒体に記録している番組の分類毎に、前記スキップ手段がスキップするスキップ時間を設定した設定テーブルを記憶するテーブル記憶手段と、を備え、
前記スキップ手段は、前記テーブル記憶手段に記憶している番組の分類毎のスキップ時間で前記番組の再生位置をスキップする手段である再生装置。
【請求項２】
記録媒体に番組を録画する録画手段と、
前記録画手段に録画されている番組の分類を、電子番組表情報から抽出する抽出手段と、を備えた請求項１に記載の再生装置。
【請求項３】
番組の分類毎に前記テーブル記録手段に記録しているスキップ時間を設定する設定手段を備えた請求項１または２に記載の再生装置。
【請求項４】
前記テーブル記憶手段に記憶している番組の分類に対して、サブ分類を設定するサブ分類設定手段を備え、
前記設定手段は、前記サブ分類設定手段が設定したサブ分類毎にスキップ時間を設定する手段である請求項３に記載の再生装置。
【発明の詳細な説明】
【技術分野】
【０００１】
本発明は、記録媒体に記録されている番組を再生する際、再生位置をスキップするスキップ機能を備えた再生装置に関する。
【背景技術】
【０００２】
従来、記録媒体（例えば、ハードディスク、ＤＶＤ，ＢＤ）に記録している番組を再生する再生装置が普及している。記録媒体に記録している番組には、コマーシャルが含まれていることがあるため、ユーザは番組の視聴時にコマーシャルを視聴したくない場合、コマーシャルをスキップするスキップ操作を行う。スキップ操作を行うことで、ユーザはコマーシャルをスキップして、番組を視聴することができる。
【０００３】
また、特許文献１は、ユーザがスキップ操作を行なった時にスキップするスキップ時間を任意に変更することで、コマーシャルをスキップするスキップ操作の回数を抑制した再生装置が提案されている。
【特許文献１】特開２００６−６０７５２号公報
【発明の開示】
【発明が解決しようとする課題】
【０００４】
しかしながら、従来のスキップ操作では、スキップ操作を行った結果、コマーシャルの時間を越えて、番組の途中までスキップしてしまい、巻き戻し操作や早送り操作を頻繁に行うことになりやすい。そのため、スキップ操作を何度も行うことにより、操作が煩雑であった。
【０００５】
一方で、特許文献１の構成のように、ユーザが任意にスキップ時間を設定しても、ユーザがスキップ時間を設定する操作を行う必要があり、操作が煩雑であった。また、設定したスキップ時間と番組の途中にあるコマーシャルの時間とが一致しない場合には、再び設定を変更する操作を行う必要があるため、操作が煩雑であった。
【０００６】
本発明の目的は、再生する番組の分類毎に、スキップ時間を設定することで、番組の分類に応じてスキップ時間を変更することにより、巻き戻し操作や早送り操作を行う回数を抑制し、操作を簡単にした再生装置を提供することにある。
【課題を解決するための手段】
【０００７】
本発明は上記課題に鑑みて、以下の構成である。
【０００８】
再生手段が、記録媒体に記録されている番組を再生する。スキップ手段が、再生手段が再生している番組の再生位置をスキップ時間だけスキップさせる。テーブル記録手段が、記録媒体に記録している番組の分類毎に、スキップ手段がスキップするスキップ時間を設定した設定テーブルを記録する。スキップ手段は、テーブル記録手段が記録している番組の分類毎のスキップ時間で番組の再生位置をスキップする。こうすることにより、番組の分類に応じてスキップ時間を変更することで、巻き戻し操作や早送り操作を行う回数を抑制し、操作を簡単にすることができる。
【発明の効果】
【０００９】
番組の分類に応じてスキップ時間を変更することが容易になり、巻き戻し操作や早送り操作を行う回数を抑制し、操作を簡単にすることができる。
【発明を実施するための最良の形態】
【００１０】
以下、本発明の実施形態について説明する。
【００１１】
図１は、本発明の実施形態である再生装置の構成ブロック図である。再生装置１は、制御部２、記憶部３、操作部４、記録・再生部５、ＯＳＤ生成部６、出力部７、を備えている。
【００１２】
制御部２は、本体各部の動作を制御する。また、番組の分類毎にスキップ時間を設定した設定テーブルの作成、設定テーブルのスキップ時間の変更の制御、分類に対してサブ分類を設定する制御、サブ分類毎にスキップ時間を変更する制御、ＯＳＤ生成部６で生成したＯＳＤ画像の信号を出力部７へ出力する制御、の各制御を行なう。各制御の詳細は後述する。
【００１３】
記憶部３は、番組の分類毎のスキップ時間、分類に対してのサブ分類毎のスキップ時間を記憶する。記憶部３が記憶する内容及びその形式の詳細は後述する。
【００１４】
操作部４は、図示していないリモコン装置から送信された信号を受信する受信部や、操作キー等が設けられている。リモコン装置から受信した信号や、操作キーにより入力された信号を制御部２へ入力する。
【００１５】
記録・再生部５は、ＤＶＤやハードディスク等の記録媒体に記録されている番組の再生処理を行う。また、録画機能を有した再生装置では、記録・再生部５で図示していないアンテナやチューナから入力された番組をハードディスク、ＤＶＤ等の光ディスク、あるいは他の記録媒体に対して記録処理を行う。このとき、記録している番組の分類を電子番組表情報から抽出する。記録・再生部５が行う記録・再生の処理は公知の処理で行う。
【００１６】
ＯＳＤ生成部６は、ＯＳＤ画像を生成し、生成したＯＳＤ画像を映像信号として出力部７に出力する。
【００１７】
出力部７は記録・再生部５で再生した番組を接続されている図示していない表示器に出力する。また、記憶部３に記憶している設定テーブルをＯＳＤ生成部６が生成したＯＳＤ画像として、接続している図示していない表示器に出力する。
【００１８】
再生装置１が行なう動作を図２〜図５を用いて説明する。
【００１９】
再生装置１は、ユーザが操作部４を操作して、設定テーブルの変更を指示入力すると、制御部２は記憶部３に記憶している図２に示す設定テーブルをＯＳＤ生成部６で生成し、出力部７に出力する。図２で示した設定テーブルは、番組の分類、サブ分類とその分類毎のスキップ時間である。図２の設定テーブルにおいて、分類は、電子番組表情報から取得することができる番組分類を示している。この番組分類は、スポーツ、映画、演劇、アニメ等がある。そして、１つの分類に対して設定されているサブ分類は、ユーザが任意に設定しても良いし、あるいは、最初から設定されているものでも良い。ユーザはこの分類、または、サブ分類毎に後述するスキップ操作を行った時のスキップ時間を設定する。
【００２０】
制御部２が出力部７から、記憶部３に記憶している設定テーブルをＯＳＤ生成部６で生成し、出力すると、図示していない表示器は図３で示す設定テーブルを表示する。この設定テーブルには、３つの分類があり、７つのサブ分類がある。分類名が「スポーツ」と「映画」に設定されている「その他」の欄が、分類のスキップ時間を示している。また、「ボクシング」、「サッカー」、「野球」、が「スポーツ」の分類に対してのサブ分類である。「邦画」、「洋画」が「映画」の分類に対してのサブ分類である。「アニメ」にはサブ分類を設定していない。ユーザは、操作部４を操作して矢印を上下方向に移動させる。この矢印を移動させることで、ユーザは変更したい分類のスキップ時間、サブ分類の名称及びスキップ時間、の各欄を選択する。選択した欄の名称及び、スキップ時間の変更を、操作部４を操作することで行う。また、ユーザがサブ分類を新しく追加したい時には、其々の分類に対して設定しているハッチングで示している「サブ分類追加」の欄に矢印を移動させ、この欄を選択する。ここで、ユーザは新しくサブ分類を追加することができる。ハッチングで示している「サブ分類追加」の欄を表示器はハイライト表示している。
【００２１】
ユーザが設定テーブルの変更を終了するときには、「設定終了」の欄に矢印を移動させ、この欄を選択する。ユーザが変更した設定テーブルの内容で記憶部３に記憶している設定テーブルに上書きしていく。
【００２２】
こうすることにより、ユーザは番組の分類毎にスキップ時間の設定を行える。したがって、ユーザがスキップ操作を行なった時、再生している分類に応じてスキップ時間を変更することが容易になり、分類に応じたコマーシャルの時間の変化とスキップ時間とを対応させやすくなる。そのため、巻き戻し操作や早送り操作を行う回数を抑制することができ、操作が簡単になる。また、分類に対してサブ分類を設定することができるため、サブ分類に応じたコマーシャルの時間の変化とスキップ時間とを対応させやすくなる。そのため巻き戻し操作や早送り操作を行う回数をより一層抑制することができ、操作がより一層簡単になる。
【００２３】
なお、本実施形態において、３つの分類を示しているが、分類は電子番組表情報から抽出できる番組分類を全て設定していても良いし、一部の番組分類をユーザが任意に設定していても良い。また、７つのサブ分類を示しているが、サブ分類の数及び各名称はユーザが任意に設定しても良い。
【００２４】
図４は再生装置１がスキップ時間の設定を行う処理のフローチャートである。
【００２５】
再生装置１は、記録・再生部５にて番組を再生する時、記憶部３に記憶している設定テーブルを使用してスキップ時間を設定する。
【００２６】
ユーザが操作部４を操作して再生操作の入力を行なう（Ｓ１）と、記録・再生部５で記録媒体に記録されている番組を再生する。制御部２は、再生する番組の分類を確認する（Ｓ２）。そして、再生する番組の分類が記憶部３に記憶している図２の設定テーブルに設定されている分類であるかどうかの判定をする（Ｓ３）。再生する番組の分類が無いとき（Ｓ３のＮ）にはスキップ操作でスキップするスキップ時間を通常のスキップ時間、例えば、１５秒、３０秒、６０秒に設定する（Ｓ４）。
【００２７】
再生する番組の分類が図２に示した設定テーブルに設定されている分類であると判定する（Ｓ３のＹ）と、次に、この設定テーブルにサブ分類があるかどうかの判定を行なう（Ｓ５）。サブ分類が設定されていない時（Ｓ５のＮ）には、図２の設定テーブルに設定されている分類でのスキップ時間にスキップ操作でスキップするスキップ時間を設定する（Ｓ６）。この分類でのスキップ時間は、例えば、再生する番組の分類がスポーツの時には、スキップ時間を２分に設定し、また、再生する番組の分類が映画の時には、スキップ時間を３分に設定する。
【００２８】
再生する番組の分類に対してサブ分類が設定されている（Ｓ５のＹ）ときには、サブ分類に設定されているスキップ時間にスキップ操作でスキップするスキップ時間を設定する（Ｓ７）。例えば、再生する番組が「ボクシング」のサブ分類が設定されている番組である時には、記憶部３に記憶している設定テーブルを参照し、このサブ分類に設定されているスキップ時間である１分にスキップ時間を設定する。
【００２９】
記録・再生部５で番組を再生しているとき、ユーザがスキップ操作を行なうと、Ｓ４、Ｓ６、Ｓ７の何れかで設定したスキップ時間でスキップする。そして、番組の再生が終了し、別の番組を再生すると再び、Ｓ１の処理を開始する。
【００３０】
なお、ユーザが番組の再生中に操作部４を操作することで、制御部２は設定テーブルのＯＳＤ画像をＯＳＤ生成部６で生成し、出力部７に出力し、図示していない表示器が表示する。ユーザは図示していない表示器が表示する設定テーブルを利用して、番組の再生中にも自由にスキップ時間を変更することができる。
【００３１】
再生装置１は、記録・再生部５の記録媒体に番組を記録するときに、記録している番組の分類及びサブ分類も同時に記録する。ここで記録する分類及びサブ分類を電子番組表情報から抽出する。今回記録媒体に記録した番組において、分類が「スポーツ」、サブ分類が「ボクシング」であるとすると、この番組を再生するときには、再生装置１は上述の処理を行い、スキップ時間を１分に設定する。
【００３２】
記録媒体に記録した番組において、分類が「アニメ」である時には、サブ分類が電子番組表情報に設定されている番組である時には、このサブ分類を設定する。再生装置１がこの番組を再生するときには、設定テーブルにはサブ分類が設定されていないので、分類で設定しているスキップ時間に、スキップ操作でスキップするスキップ時間を設定する。また、記録媒体に記録した番組において、分類が「スポーツ」であるが、サブ分類を抽出することができなかった場合には、「その他」と記録する。
【００３３】
こうすることにより、記録媒体に記録した番組を再生するときにスキップ時間の変更を行ないやすくなり、巻き戻し操作や早送り操作を行う回数を抑制することができ、操作が簡単になる。
【００３４】
なお、電子番組表情報にコマーシャルの開始時刻及び終了時刻が重畳されている時には、ストリーミング時に、開始時刻及び終了時刻を記録しておき、この開始時刻及び終了時刻に合わせてスキップ時間を変更するようにしても良い。
【００３５】
また、番組を再生する再生装置は、パーソナルコンピュータであっても良いし、ＤＶＤプレイヤ、ＢＤプレイヤ、ＨＤプレイヤ等の再生装置であっても良いし、あるいはＨＤレコーダ、ＤＶＤレコーダ、ＢＤレコーダ等の録画装置であっても良いし、他の装置であっても良い。
【図面の簡単な説明】
【００３６】
【図１】再生装置の構成ブロック図である。
【図２】記憶部に記憶している設定テーブルを示す図である。
【図３】出力部に出力する設定テーブルを示す図である。
【図４】番組毎のスキップ時間を決定する処理を示すフローチャートである。
【符号の説明】
【００３７】
１…再生装置
２…制御部
３…記憶部
４…操作部
５…記録・再生部
６…ＯＳＤ生成部
７…出力部
【図１】
2009105584.tif 000003
【図２】
2009105584.tif 000004
【図３】
2009105584.tif 000005
【図４】
2009105584.tif 000006